(57)【要約】  収納装置１は、棚板４０の幅方向両側に対状に配設される棚板保持部３０，３０に、スライド片部３５及びこのスライド片部をスライド自在に受け入れるスライド凹所４４のうちの一方を、スライド方向が上下方向に対して奥行方向に沿う方向に傾斜するようにそれぞれ設け、前記棚板の幅方向両側端部４２，４２に、前記スライド片部及び前記スライド凹所のうちの他方を、スライド方向が当該棚板の上面直交方向に対して前記一方の上下方向に対する傾斜角度θ１に等しい傾斜角度θ２で奥行方向に沿う方向に傾斜するようにそれぞれ設けた構造とされ、かつ、前記スライド凹所に前記スライド片部を嵌め入れることで前記棚板保持部に前記棚板が取外可能に保持される構造とされている。
2015004694.tif 000002
【特許請求の範囲】
【請求項１】
棚板の幅方向両側に対状に配設される棚板保持部に、スライド片部及びこのスライド片部をスライド自在に受け入れるスライド凹所のうちの一方を、スライド方向が上下方向に対して奥行方向に沿う方向に傾斜するようにそれぞれ設け、前記棚板の幅方向両側端部に、前記スライド片部及び前記スライド凹所のうちの他方を、スライド方向が当該棚板の上面直交方向に対して前記一方の上下方向に対する傾斜角度に等しい傾斜角度で奥行方向に沿う方向に傾斜するようにそれぞれ設けた構造とされ、かつ、前記スライド凹所に前記スライド片部を嵌め入れることで前記棚板保持部に前記棚板が取外可能に保持される構造とされていることを特徴とする収納装置。
【請求項２】
請求項１において、
前記スライド片部のスライド方向先端面には、前記棚板が水平状態で前記棚板保持部に保持された状態で前記スライド凹所の凹底面に当接される第１当接面と、前記棚板が傾斜状態で前記棚板保持部に保持された状態で前記スライド凹所の凹底面に当接される第２当接面と、が設けられていることを特徴とする収納装置。
【請求項３】
請求項１または２において、
前記棚板保持部は、前記一方としての前記スライド片部を構成し、棚板幅方向に厚さ方向を沿わせて配設されるスライド板状部材と、厚さ方向に貫通させた止具によって締結された前記スライド板状部材を支持し、前記棚板の幅方向両側に対向状に配設される取付対象に取り付けられる支持部材と、を備えていることを特徴とする収納装置。
【請求項４】
請求項１乃至３のいずれか１項において、
前記棚板の幅方向両側に対向状に配設される取付対象には、前記棚板保持部に設けられた引掛片部が差し込まれる差込穴が上下方向に沿って間隔を空けて複数箇所に設けられ、前記棚板保持部が着脱可能に取り付けられる構造とされていることを特徴とする収納装置。
【請求項５】
請求項１乃至４のいずれか１項において、
前方に開口する箱体と、上下方向に沿う軸廻りに少なくとも１８０°回転自在に前記箱体に設けられ、両側の縦枠部に前記棚板保持部を設けた枠体と、を備えていることを特徴とする収納装置。
【請求項６】
請求項１乃至５のいずれか１項において、
前記棚板は、棚板本体と、この棚板本体の幅方向両側端部のそれぞれに取り付けられ、前記スライド片部及び前記スライド凹所のうちの他方を設けた側端部材と、を備えていることを特徴とする収納装置。
【請求項７】
請求項１乃至６のいずれか１項において、
前記棚板の幅方向両側端部の奥行方向両端部には、幅方向に架け渡されるように配設される落下防止バーの長手方向端部が嵌め込まれる受凹部が設けられていることを特徴とする収納装置。
【発明の詳細な説明】
【技術分野】
【０００１】
本発明は、棚板を備えた収納装置に関する。
【背景技術】
【０００２】
従来より、棚板を備えた収納装置が知られている。例えば、下記特許文献１では、靴などの被収納物を収納する棚板を備えた収納装置が提案されている。この収納装置は、棚板の両側に配される縦枠の前後面に設けられた棚板保持用穴に、棚板を保持する棚板保持部材の前後の取付け片のピン穴を整合させ、これらピン穴及び棚板保持用穴に棚受けピンを挿着させて縦枠と棚板とを連結する構造とされている。また、この収納装置は、最下段の棚板の側端部の一対のボス挿入孔に、最下段の棚板保持部材に互いに同一高さ位置に設けられた一対のボスを挿入させ、この最下段の棚板を水平に配置した構造とされている。また、この収納装置は、最下段以外の棚板の側端部の一対のボス挿入孔に、他の棚板保持部材に互いに異なる高さ位置に設けられた一対のボスを挿入させ、最下段以外の棚板を前下がりの前傾状態または前上がりの後傾状態に配置した構造とされている。
【先行技術文献】
【特許文献】
【０００３】
【特許文献１】特開平１０−１７９２７７号公報
【発明の概要】
【発明が解決しようとする課題】
【０００４】
しかしながら、上記特許文献１に記載された収納装置は、棚板保持部材の前後の取付け片のピン穴を縦枠の前後の棚板保持用穴に整合させ、前後両方にそれぞれ棚受けピンを挿入して棚板を取り付ける必要がある。そのため、棚板の取り付けがし難く、また、棚板の取り外しもし難いという問題があった。また、棚板を水平状態で保持するための棚板保持部材と棚板を前傾状態または後傾状態で保持するための棚板保持部材とが別部材とされており、更なる改善が望まれていた。【０００５】
本発明は、上記実情に鑑みてなされたものであり、棚板の着脱性を向上させ、また、棚板を簡易に水平状態と傾斜状態とに選択的に保持させ得る収納装置を提供することを目的としている。
【課題を解決するための手段】
【０００６】
上記目的を達成するために、本発明に係る収納装置は、棚板の幅方向両側に対状に配設される棚板保持部に、スライド片部及びこのスライド片部をスライド自在に受け入れるスライド凹所のうちの一方を、スライド方向が上下方向に対して奥行方向に沿う方向に傾斜するようにそれぞれ設け、前記棚板の幅方向両側端部に、前記スライド片部及び前記スライド凹所のうちの他方を、スライド方向が当該棚板の上面直交方向に対して前記一方の上下方向に対する傾斜角度に等しい傾斜角度で奥行方向に沿う方向に傾斜するようにそれぞれ設けた構造とされ、かつ、前記スライド凹所に前記スライド片部を嵌め入れることで前記棚板保持部に前記棚板が取外可能に保持される構造とされていることを特徴とする。【０００７】
本発明においては前記スライド片部のスライド方向先端面に、前記棚板が水平状態で前記棚板保持部に保持された状態で前記スライド凹所の凹底面に当接される第１当接面と、前記棚板が傾斜状態で前記棚板保持部に保持された状態で前記スライド凹所の凹底面に当接される第２当接面と、を設けてもよい。
また、本発明においては、前記棚板保持部を、前記一方としての前記スライド片部を構成し、棚板幅方向に厚さ方向を沿わせて配設されるスライド板状部材と、厚さ方向に貫通させた止具によって締結された前記スライド板状部材を支持し、前記棚板の幅方向両側に対向状に配設される取付対象に取り付けられる支持部材と、を備えたものとしてもよい。
また、本発明においては、前記棚板の幅方向両側に対向状に配設される取付対象に、前記棚板保持部に設けられた引掛片部が差し込まれる差込穴を上下方向に沿って間隔を空けて複数箇所に設け、前記棚板保持部が着脱可能に取り付けられる構造としてもよい。【０００８】
また、本発明においては、前方に開口する箱体と、上下方向に沿う軸廻りに少なくとも１８０°回転自在に前記箱体に設けられ、両側の縦枠部に前記棚板保持部を設けた枠体と、を備えていてもよい。
また、本発明においては、前記棚板を、棚板本体と、この棚板本体の幅方向両側端部のそれぞれに取り付けられ、前記スライド片部及び前記スライド凹所のうちの他方を設けた側端部材と、を備えたものとしてもよい。
また、本発明においては、前記棚板の幅方向両側端部の奥行方向両端部に、幅方向に架け渡されるように配設される落下防止バーの長手方向端部が嵌め込まれる受凹部を設けてもよい。
【発明の効果】
【０００９】
本発明に係る収納装置は、上述のような構成としたことで、棚板の着脱性を向上させることができ、また、棚板を簡易に水平状態と傾斜状態とに選択的に保持させることができる。
【図面の簡単な説明】
【００１０】
【図１】本発明の一実施形態に係る収納装置の一例を模式的に示し、図３におけるＸ−Ｘ線矢視に対応させた一部破断概略縦断面図である。
【図２】同収納装置を模式的に示す概略斜視図である。
【図３】同収納装置を模式的に示す一部省略概略平面図である。
【図４】（ａ）〜（ｄ）は、同収納装置が備える棚板保持部の一例をそれぞれ模式的に示し、（ａ）は、概略正面図、（ｂ）は、概略平面図、（ｃ）は、概略斜視図、（ｄ）は、概略分解斜視図である。
【図５】（ａ）、（ｂ）は、同収納装置が備える棚板の側端部材の一例をそれぞれ模式的に示す概略斜視図である。
【図６】図１に対応させた一部を省略した一部破断概略分解縦断面図である。
【図７】（ａ）は、同収納装置が備える棚板の一変形例を模式的に示す概略縦断面図、（ｂ）は、同収納装置が備える棚板保持部の一変形例を模式的に示す概略正面図である。
【発明を実施するための形態】
【００１１】
以下に本発明の実施の形態について、図面に基づいて説明する。
図１〜図７は、本実施形態に係る収納装置の一例及び変形例を模式的に示す図である。
なお、一部の図では、他図に付している詳細な符号の一部を省略している。
また、以下の実施形態では、設置された収納装置に開口側において対面した状態を基準として、手前側を前方、その逆側を後方とし、また、その状態を基準として、上下方向及び左右方向の方向を説明する。また、収納装置の回転収納体が図１〜図３に示すように箱体に収納された状態を基準として、同方向を原則的に説明する。
【００１２】
本実施形態に係る収納装置１は、図１〜図３に示すように、棚板４０と、この棚板４０の幅方向両側に対状に配設され、棚板４０を取外可能に保持する棚板保持部３０，３０と、を備えている。本実施形態では、収納装置１を、上下方向に複数（図例では、１２枚）の棚板４０と、これら複数の棚板４０をそれぞれに保持する複数対の棚板保持部３０，３０と、を備えたものとしている。また、本実施形態では、これら複数対の棚板保持部３０，３０を、前方に開口する箱体２に回転自在に設けられた回転収納体２０に設け、当該収納装置１を回転収納装置１としている。この回転収納装置１は、玄関土間や玄関フロアー等に好適に設置され、靴等を収納する玄関収納装置としてもよい。
また、回転収納装置１は、箱体２と、この箱体２の内部に収納される回転収納体２０と、箱体２に対して回転収納体２０を回転可能とする回転機構部１０と、を備えている。
【００１３】
箱体２は、前方に開口した正面視略矩形の箱状とされている。この箱体２は、天面部３と底面部４と背面部５と左右一対の側面部６，６とを備え、これらによって回転収納体２０の収納空間を区画形成している。この収納空間は、前後寸法（収納奥行寸法）よりも左右寸法（収納間口寸法）が大きく形成されている。
なお、これら各面部３，４，５，６，６は、板材からなるものとしてもよく、また、箱体２は、木製や金属製、樹脂製等としてもよい。
また、箱体２の前方開口を開閉する扉を設けてもよい。また、回転収納体２０の収納空間の上側や下側等に更に他の収納空間を設けた態様としてもよい。この場合は、横仕切板等によって上下の収納空間を区画するようにしてもよい。
【００１４】
この箱体２の天面部３及び底面部４には、回転機構部１０，１０がそれぞれに設けられている。箱体２は、これら上下両側の回転機構部１０，１０を介して回転収納体２０を支持する構成とされている。
回転機構部１０は、箱体２の天面部３と回転収納体２０の上部との間と、箱体２の底面部４と回転収納体２０の下部との間と、の二箇所にそれぞれ設けられている。これら上下二つの回転機構部１０，１０は、平面視して略重なり合うように設けられており、互いに同様に作動する。これら回転機構部１０，１０は、互いに概ね同様の構成とされており、互いに上下反転させたような構成とされている。
【００１５】
この回転機構部１０は、前後方向（奥行方向）に沿って長尺なレール１１と、このレール１１に沿って前後にスライド移動自在の走行体１２と、回転収納体２０の回転中心となる回転軸１３と、長尺の連結アーム１４と、を備えている。
上下両側の回転機構部１０，１０の各レール１１，１１は、箱体２の天面部３の下面及び底面部４の上面にそれぞれ固定されている。これら天面部３側及び底面部４側の両レール１１，１１は、上下方向に対向して配置されている。また、これら両レール１１，１１を、箱体２の収納空間の左右方向（収納間口方向）略中央部に配置している。
【００１６】
走行体１２は、図３に示すように、当該走行体１２の前端側がレール１１の前端よりも前方に突出するように、レール１１に対して前方側にスライド可能とされている。これらレール１１及び走行体１２としては、前後方向に伸縮するスライドレール等からなるものとしてもよい。
この走行体１２の長手方向の途中部位には、回転軸１３が取り付けられている。この回転軸１３は、走行体１２が最後方位置において箱体２の収納空間の平面視略中心に位置するように設けられている。図例では、この回転軸１３を、走行体１２の長手方向の概ね中央に取り付けている。
【００１７】
このような構成により、回転機構部１０は、走行体１２をレール１１に沿って前後にスライド移動させることで、回転軸１３が前後に移動する構成とされている。つまり、回転軸１３は、走行体１２を前方にスライドさせれば、前方に移動し、走行体１２を後方にスライドさせれば、後方に移動する構成とされている。
この回転軸１３は、軸方向を上下方向に沿わせて配置されている。この回転軸１３の軸方向の一端側に走行体１２が取り付けられ、軸方向の他端側に回転収納体２０が取り付けられている。つまり、回転収納体２０は、上下の回転軸１３，１３を介して上下の走行体１２，１２に支持されている。
【００１８】
また、回転軸１３は、走行体１２に対して当該回転軸１３の軸廻りに回転自在とされている。これにより、回転収納体２０は、走行体１２に対して回転軸１３の軸廻りに回転自在とされている。
なお、回転軸１３は、走行体１２に対して回転収納体２０を回転自在とするものであれば、走行体１２に対して回転自在とされたものに限られず、回転収納体２０に対して回転自在とされたものでもよい。
【００１９】
連結アーム１４は、長手方向の一端がレール１１の後端部にスライド不能に回動自在に接続されている。また、連結アーム１４は、長手方向の他端が箱体２に収納状態の回転収納体２０の左右方向の一端側に位置するようにスライド不能に回転自在に接続されている。本実施形態では、回転収納体２０が箱体２に収納された状態における回転軸１３と前後方向で略一致する位置となるように連結アーム１４の他端を回転収納体２０に接続している。
これら連結アーム１４の一端及び他端は、レール１１及び回転収納体２０のそれぞれに対して上下方向に沿う軸廻りに回動自在に連結されている。
【００２０】
この連結アーム１４は、図３に示すように、後端側の長手方向一端を回転中心として前端側が左右方向に移動するように概ね９０°の範囲で回動する構成とされている。また、連結アーム１４は、走行体１２が最前方位置において長手方向を前後方向に沿わせて配置され、この状態から左右両側のそれぞれに概ね４５°の範囲内を回動可能な構成とされている。
上下両側の回転機構部１０，１０の各連結アーム１４，１４は、平面視して略重なり合うように配置されており、重なり合った状態を略維持してそれぞれ回動する構成とされている。なお、上下の回転機構部１０，１０のいずれか一方のみに連結アーム１４を設けた態様としてもよい。
【００２１】
回転収納体２０は、回転軸１３廻りに少なくとも１８０°回転自在に箱体２に設けられ、正面視略矩形枠状の枠体２１と、複数の棚板４０と、を備えている。この回転収納体２０は、枠体２１内に棚板４０を配置することで、上下に複数段の収納部を区画する構成とされている。
枠体２１は、図２に示すように、上枠部２２と、下枠部２３と、左右一対の縦枠部２４，２４と、を備えている。
この枠体２１は、図１及び図３に示すように、回転収納体２０が箱体２に収納された状態で、箱体２内の前後方向略中央部に配置される。
なお、この枠体２１は、例えば、金属系材料等の剛性材料から形成されたものとしてもよい。
【００２２】
上枠部２２及び下枠部２３は、それぞれ左右方向に沿って長尺とされている。
上枠部２２の長手方向の略中央に、上部の回転機構部１０の回転軸１３の下端側（上記他端側）が取り付けられている。
下枠部２３の長手方向の略中央に、下部の回転機構部１０の回転軸１３の上端側（上記他端側）が取り付けられている。このような構成により、枠体２１（回転収納体２０）は、走行体１２を介して箱体２から前方側にスライド自在で、かつ回転軸１３廻りに走行体１２に対して回転自在とされている。
【００２３】
また、上枠部２２及び下枠部２３のそれぞれの左右方向の一端側には、連結アーム１４，１４の他端が回転自在に取り付けられている。図例では、上枠部２２及び下枠部２３のそれぞれの左右方向の一方側半部の長手方向略中央部位に、連結アーム１４，１４の他端を回転自在に連結した例を示している。
このような構成により、枠体２１（回転収納体２０）は、回転軸１３廻りの回転範囲（回転動作の範囲）が規制され、図３に示すように、箱体２に対して前後方向にスライドしながら回転軸１３廻りに約１８０°の範囲で回転可能な構成とされている。これにより、枠体２１（回転収納体２０）は、箱体２に収納時の姿勢を前後反転可能（１８０°反転可能）な構成とされている。つまり、当該回転収納装置１は、回転機構部１０によって枠体２１（回転収納体２０）の前後を入れ替え（切り替え）可能としている。
【００２４】
本実施形態では、回転収納体２０の回転中心となる回転軸１３を前方側にスライドさせることで、箱体２の背面部５との間に回転収納体２０を回転させるための空間が形成され、この空間を利用して回転収納体２０を回転軸１３廻りに回転させることができる。換言すれば、回転軸１３を前後方向にスライドさせながら回転収納体２０を回転軸１３廻りに回転させて前後の切り替えを可能としている。これにより、回転収納体２０を回転させる際に、回転収納体２０が箱体２に収納された状態よりも後方側に突出するようなことを防止することができる。つまり、箱体２に収納された状態の回転収納体２０の奥側に必要となる回転収納体２０の回転用の空間を小さくするまたは無くすことができ、回転収納体２０の収納部の奥行寸法を確保しながらも箱体２の奥行寸法を効率的に小さくすることができる。
【００２５】
左右の縦枠部（両側の縦枠部）２４，２４は、それぞれ上下方向に沿って長尺とされている。これら縦枠部２４，２４は、平面視（横断面視）して略矩形状とされており、例えば、筒状材から形成されたものとしてもよい。これら両側の縦枠部２４，２４は、略平行に並んで配置されている。
一方の縦枠部２４（第１縦枠部２４Ａ）は、上端が上枠部２２の左右方向の一端（連結アーム１４を接続した側の端部）に固定されている。この第１縦枠部２４Ａの下端は、下枠部２３の左右方向の一端（上枠部２２と同じ側の端部）に固定されている。
他方の縦枠部２４（第２縦枠部２４Ｂ）は、上端が上枠部２２の左右方向の他端に固定されている。この第２縦枠部２４Ｂの下端は、下枠部２３の左右方向の他端に固定されている。
なお、これら両側の縦枠部２４，２４、上枠部２２及び下枠部２３からなる枠体２１は、一体的に形成されたものとしてもよく、各枠部２２，２３，２４，２４の端部を適宜、ねじ等の止具や溶接等によって連結して形成されたものとしてもよい。
【００２６】
第２縦枠部２４Ｂの長手方向（上下方向）の途中部位には、回転収納体２０のスライド移動及び回転動作の操作用の操作部２６が設けられている。つまり、操作部２６は、連結アーム１４の他端が接続された左右方向一端側とは異なる側となる上枠部２２及び下枠部２３の左右方向他端側に位置する縦枠部２４（第２縦枠部２４Ｂ）に設けられている。これにより、使用者が操作部２６を前方に引き出し操作することで、回転収納体２０の反転操作を行うことができる。また、スムーズに回転収納体２０を回転操作することができ、回転収納体２０の回転方向を使用者に認識し易くすることができ、回転収納体２０の反転操作（反転作業）性を向上させることができる。
【００２７】
また、操作部２６は、図２に示すように、側面視して矩形枠状に形成されている。この操作部２６は、その前後寸法が第２縦枠部２４Ｂの前後寸法よりも大きく形成されている。また、操作部２６は、第２縦枠部２４Ｂよりも前後方向の一方（前方）に突出した第１把持部２６ａと第２縦枠部２４Ｂよりも前後方向の他方（後方）に突出した第２把持部２６ｂとが形成されるように、前後方向の略中央で第２縦枠部２４Ｂに固定されている。なお、この操作部２６は、ねじ等の止具や溶接等によって第２縦枠部２４Ｂに固定するようにしてもよい。
【００２８】
また、これら両側の縦枠部２４，２４に、上下に間隔を空けて複数の棚板保持部３０，３０をそれぞれに設けている。本実施形態では、棚板４０の幅方向両側に対向状に配設される、棚板保持部３０，３０の取付対象としての両側の縦枠部２４，２４に、各棚板保持部３０，３０が着脱可能に取り付けられる構造としている。また、本実施形態では、これら両側の縦枠部２４，２４に、棚板保持部３０に設けられた引掛片部３４が差し込まれる差込穴２５を上下方向に沿って間隔を空けて複数箇所に設けている。このような構成とすれば、棚板４０の枚数や配設する高さ位置を変更することができる。また、例えば、取付対象としての縦枠部２４，２４に溶接等によって固定的に棚板保持部３０，３０を設けた場合と比べて、収納装置（回転収納装置）１自体の高さ変更に柔軟に対応することができる。また、取付対象としての縦枠部２４，２４に差込穴２５，２５を設けた構造としているので、棚板保持部３０，３０を取り付けない場合にも突出等することがない。
【００２９】
これら両側の縦枠部２４，２４の差込穴２５，２５は、左右で対を成すように同高さに位置するようにそれぞれに設けられている。また、本実施形態では、両側の縦枠部２４，２４を、図３及び図４（ｂ）に示すように、略四角筒状体とし、これら縦枠部２４，２４の互いに対向する側面部（左右方向内方側に位置する面部）を貫通させて差込穴２５，２５を設けている。また、各差込穴２５，２５を、上下方向に細長状に延びるスリット状の貫通孔としている。
なお、各縦枠部２４，２４の上下に隣り合う差込穴２５，２５間の寸法は、略等間隔としてもよく、それぞれに異なる寸法としてもよい。また、各縦枠部２４，２４の差込穴２５，２５の個数は、棚板保持部３０，３０の取付高さ位置の所望する調整度合いや、縦枠部２４，２４の強度等に応じて適宜の数としてもよい。
【００３０】
棚板保持部３０は、第１縦枠部２４Ａ側の棚板保持部３０と第２縦枠部２４Ｂ側の棚板保持部３０とが左右方向に並んで同高さに位置するように、両縦枠部２４Ａ，２４Ｂに取り付けられる。つまり、第１縦枠部２４Ａ側に取り付けられた棚板保持部３０と第２縦枠部２４Ｂ側に取り付けられた棚板保持部３０とが左右で対を成しており、これら対を成す棚板保持部３０，３０を、上下方向に間隔を空けて複数箇所に取り付けている。図例では、棚板４０の枚数に合わせて、左右対の棚板保持部３０，３０を、上下方向に間隔を空けて１２箇所に設けた例を示している。
【００３１】
また、各左右対の棚板保持部３０，３０に、スライド片部３５，３５及びこのスライド片部３５，３５をスライド自在に受け入れるスライド凹所４４，４４のうちの一方を、スライド方向が上下方向に対して奥行方向に沿う方向に傾斜するようにそれぞれ設けている。また、棚板４０の幅方向両側端部４２，４２に、スライド片部３５，３５及びスライド凹所４４，４４のうちの他方を、スライド方向が当該棚板４０の上面直交方向に対して上記一方の上下方向に対する傾斜角度θ１に等しい傾斜角度θ２で奥行方向に沿う方向に傾斜するようにそれぞれ設けている。また、スライド凹所４４，４４にスライド片部３５，３５を嵌め入れることで左右対の棚板保持部３０，３０に棚板４０が取外可能に保持される構造としている。
【００３２】
上記構成とすれば、棚板４０の着脱性を向上させることができ、また、棚板４０を簡易に水平状態と傾斜状態とに選択的に保持させることができる。
つまり、図１及び図６に示すように、スライド凹所４４，４４にスライド片部３５，３５を嵌め入れ、またはスライド凹所４４，４４からスライド片部３５，３５を抜き取ることで、棚板４０を棚板保持部３０，３０に対して容易に着脱させることができる。
【００３３】
また、棚板４０の上面を水平とし、スライド片部３５，３５及びスライド凹所４４，４４のうちのこの棚板４０に設けられた上記他方のスライド方向と、スライド片部３５，３５及びスライド凹所４４，４４のうちの棚板保持部３０，３０に設けられた上記一方のスライド方向と、を平行状として相対的にスライドさせて嵌め合わせることで、棚板４０を水平状態で棚板保持部３０，３０に保持させることができる。また、例えば、この水平状態とは概ね上下方向に沿う軸廻りに１８０°回転させた棚板４０の上面を傾斜（前傾（または後傾））させ、スライド片部３５，３５及びスライド凹所４４，４４のうちのこの棚板４０に設けられた上記他方のスライド方向と、スライド片部３５，３５及びスライド凹所４４，４４のうちの棚板保持部３０，３０に設けられた上記一方のスライド方向と、を平行状として相対的にスライドさせて嵌め合わせることで、棚板４０を傾斜（前傾（または後傾））状態で棚板保持部３０，３０に保持させることができる。
これにより、収納物の種類や、設置場所、使い勝手等に応じて棚板４０を水平状態または傾斜状態に容易に変更することができる。また、同一の棚板保持部３０，３０を用いて棚板４０を水平状態と傾斜状態とに選択的に保持させることができるので、棚板４０を水平状態または傾斜状態に簡易に変更することができる。
【００３４】
本実施形態では、一方としてのスライド片部３５を各棚板保持部３０に設け、他方としてのスライド凹所４４を各棚板４０に設けている。
スライド片部３５は、スライド凹所４４との相対的なスライド方向が縦枠部２４の長手方向に対して前後方向いずれか側に傾斜するように設けられている。
また、本実施形態では、図２及び図６に示すように、上下に複数箇所に設けられた左右対の棚板保持部３０，３０の各スライド片部３５，３５のスライド方向が、最下段を除いて、上下交互に異なる側に傾斜する構成となるように棚板保持部３０，３０を設けている。
【００３５】
最下段の第１棚板保持部３０Ａ，３０Ａ対は、それぞれのスライド片部３５，３５に対するスライド凹所４４，４４の棚板取付時のスライド方向が、鉛直方向から僅かに斜め後方向に傾斜する構成とされている。これら最下段の第１棚板保持部３０Ａ，３０Ａ対の上段側に隣り合う第１棚板保持部３０Ａ，３０Ａ対も同様、それぞれのスライド片部３５，３５に対するスライド凹所４４，４４の棚板取付時のスライド方向が、鉛直方向から僅かに斜め後方向に傾斜する構成とされている。一方、これらの更に上段側に隣り合う第２棚板保持部３０Ｂ，３０Ｂ対は、それぞれのスライド片部３５，３５に対するスライド凹所４４，４４の棚板取付時のスライド方向が、鉛直方向から僅かに斜め前方向に傾斜する構成とされている。以降同様に、最上段に向けて、第１棚板保持部３０Ａ，３０Ａ対と第２棚板保持部３０Ｂ，３０Ｂ対とが交互に設けられている（図２も参照）。
【００３６】
これら第１棚板保持部３０Ａ，３０Ａ対及び第２棚板保持部３０Ｂ，３０Ｂ対のそれぞれのスライド片部３５，３５，３５，３５のスライド方向の上下方向に対する前後方向への傾斜角度θ１は、互いに等しい角度とされている。また、これら第１棚板保持部３０Ａ，３０Ａ対及び第２棚板保持部３０Ｂ，３０Ｂ対のうちの一方対を、各縦枠部２４，２４から取り外し、対状態のままで上下方向に沿う軸廻りに１８０°回転させれば、他方対となる構成としている。このような構成とすれば、部品点数を削減でき、構造の簡略化を図ることができ、また、取扱性を向上させることができる。
【００３７】
各棚板保持部３０のスライド片部３５のスライド方向の傾斜角度θ１は、図１及び図６に示すように、傾斜状態で保持される棚板４０の上面の水平面に対する棚板傾斜角度に応じて、適宜、設定するようにしてもよい。この棚板傾斜角度は、収納物の種類や使い勝手等に応じて適宜、設定可能であるが、例えば、５°〜３０°程度としてもよく、１０°〜２０°程度としてもよい。また、スライド片部３５及びスライド凹所４４のスライド方向の傾斜角度θ１，θ２は、この棚板傾斜角度のそれぞれ１／２の角度とすればよい。図例では、スライド片部３５及びスライド凹所４４のスライド方向の傾斜角度θ１，θ２をそれぞれ６°程度とし、棚板傾斜角度を１２°とした例を示している。
【００３８】
また、本実施形態では、各棚板保持部３０を、棚板４０の幅方向（当該回転収納装置１の収納間口方向に沿う方向）に厚さ方向を沿わせて配設され、スライド片部を構成するスライド板状部材３５を備えたものとしている。また、各棚板保持部３０を、厚さ方向に貫通させた止具３９によって締結されたスライド板状部材３５を支持し、棚板４０の幅方向両側に対向状に配設される取付対象としての縦枠部２４，２４に取り付けられる支持部材３１を備えたものとしている。例えば、取付対象としての縦枠部２４に取り付けられる部位とスライド片部を構成する部位とが一体的に形成された棚板保持部とすることも考えられる。この場合には、棚板４０の幅方向一方側に配設される棚板保持部と棚板４０の幅方向他方側に配設される棚板保持部とを別部材とする必要がある。上記構成とすれば、幅方向一方側のスライド板状部材３５と幅方向他方側のスライド板状部材３５とを同一部材とし、幅方向一方側の支持部材３１と幅方向他方側の支持部材３１とを同一部材とすることができ、取扱性や製造効率等を向上させることができる。また、例えば、棚板４０を異なる棚板傾斜角度で保持させるような場合にも、支持部材３１を共通部品とし、スライド板状部材３５を変形することで柔軟に対応することができる。この場合は、後記する棚板４０の幅方向両側端部４２，４２も必要に応じて適宜、変形するようにしてもよい。
【００３９】
本実施形態では、各棚板保持部３０の支持部材３１及びスライド板状部材３５のそれぞれを、同寸同形状とされた同一部材からなるものとしている。
支持部材３１は、図４（ｂ）に示すように、縦枠部２４の対向側部位を受け入れるように、縦枠部２４に向けて開口した平面視略コ字状（略Ｕ字状または略Ｃ字状）とされている。この支持部材３１は、縦枠部２４の対向側面に当接されるベース板状部３２と、このベース板状部３２の前後両縁から当該回転収納装置１の幅方向外方に向けて突出するように形成され、縦枠部２４の前面及び後面にそれぞれ当接される突片部３３，３３と、を備えている。この支持部材３１は、上下方向に沿う軸廻りに１８０°回転させることで、両側の縦枠部２４，２４のいずれにも取付可能な構成とされている。
【００４０】
また、支持部材３１のベース板状部３２の裏面（縦枠部２４の対向側面に当接される面）には、縦枠部２４の差込穴２５に差し込まれる引掛片部３４が設けられている。この引掛片部３４は、ベース板状部３２の裏面から当該回転収納装置１の幅方向外方に向けて突出するように形成されている。また、本実施形態では、引掛片部３４を、上下方向に細長スリット状とされた差込穴２５に対応させて、厚さ方向を前後方向に沿わせた薄板状としている。また、引掛片部３４は、図４（ａ）に示すように、差込穴２５に対して差込可能及び抜取可能なように形成されている。また、引掛片部３４は、差込穴２５に差し込んだ状態で、差込穴２５からの意図しない抜け落ちを防止するように鉤状に形成されている。
また、本実施形態では、上下に隣り合う二つの差込穴２５，２５のそれぞれに差し込まれる二つの引掛片部３４，３４を支持部材３１に設けた構成としている。このような構成とすれば、棚板保持部３０を強固かつ安定的に縦枠部２４に取り付けることができる。
【００４１】
また、ベース板状部３２には、図４（ｃ）、（ｄ）に示すように、ねじ等の止具３９が止着される止具穴３２ａが設けられている。図例では、ベース板状部３２に、これを厚さ方向（当該回転収納装置１の幅方向に沿う方向）に貫通する二つの止具穴３２ａ，３２ａを設けた例を示している。これら止具穴３２ａ，３２ａは、前後方向に間隔を空けて互いに同高さに位置するように設けられている。また、これら止具穴３２ａ，３２ａは、ベース板状部３２の前後方向中心からそれぞれ前後に等間隔を空けた位置となるように設けられている。
スライド板状部材３５は、薄板状とされており、支持部材３１のベース板状部３２の表面に沿って止具３９，３９によって支持部材３１に固定されている。このスライド板状部材３５は、当該棚板保持部３０が縦枠部２４に取り付けられた状態で、縦枠部２４の対向側面に平行状に、かつ該対向側面よりも棚板幅方向内方側に間隔を空けて位置するように配設される。
また、このスライド板状部材３５には、止具３９，３９がそれぞれに挿通される止具挿通孔３５ａ，３５ａが設けられている。これら止具挿通孔３５ａ，３５ａは、支持部材３１の止具穴３２ａ，３２ａに一致する位置となるように設けられている。
【００４２】
また、スライド板状部材３５は、その前後方向に沿う寸法が、支持部材３１の前後方向に沿う寸法よりも大きく形成されており、その前後両端部が支持部材３１の前後両側に突出するように支持部材３１に固定されている。つまり、スライド板状部材３５は、当該棚板保持部３０が縦枠部２４に取り付けられた状態で、縦枠部２４の前後両面よりもその前後両端部が前後両側に突出するように形成されている。
このスライド板状部材３５の前後両端面３６，３６は、図６に示すように、互いに平行状に形成されている。また、これら前後両端面３６，３６は、当該棚板保持部３０が縦枠部２４に取り付けられた状態で、上下方向に対して前後方向に上記所定の傾斜角度θ１で傾斜する傾斜面を構成し、スライド凹所４４に嵌め入れられる際に互いのスライド方向を規制する規制面（案内面）となる。
【００４３】
また、スライド板状部材３５のスライド方向先端面（本実施形態では、上側端面）に、棚板４０が水平状態で棚板保持部３０に保持された状態でスライド凹所４４の凹底面４５に当接される第１当接面３７と、棚板４０が傾斜状態で棚板保持部３０に保持された状態でスライド凹所４４の凹底面４５に当接される第２当接面３８と、を設けている。例えば、スライド板状部材３５のスライド方向先端面を、水平状態及び傾斜状態のいずれか一方の状態で棚板４０が棚板保持部３０に保持された状態でスライド凹所４４の凹底面４５に概ね全面に亘って当接される平坦面とすることも考えられる。この場合には、上記一方の状態では安定的に棚板４０を棚板保持部３０に保持させることができるが、他方の状態では、スライド凹所４４の凹底面４５に、スライド片部の先端面の角部が当接することとなり、保持状態が不安定となることも考えられる。上記構成とすれば、このようなものと比べて、水平状態及び傾斜状態のいずれの状態においても安定的に棚板４０を棚板保持部３０に保持させることができる。
【００４４】
本実施形態では、後記するスライド凹所４４の凹底面４５を、棚板４０の上面に平行な面とし、スライド板状部材３５の第１当接面３７を、当該棚板保持部３０が縦枠部２４に取り付けられた状態で、水平面となる構成としている。また、第２当接面３８を、この第１当接面３７に対して傾斜する傾斜面としている。この第２当接面３８の第１当接面３７（水平面）に対する傾斜角度は、上記した棚板傾斜角度に等しい角度とされている。
これら第１当接面３７及び第２当接面３８の前後方向に沿う寸法は、棚板４０を安定的に保持する観点等から適宜、設定するようにしてもよい。図例では、これら第１当接面３７及び第２当接面３８の前後方向に沿う寸法を、概ね同寸法としている。つまり、スライド板状部材３５の上側端面を、前後方向に概ね二分するように第１当接面３７と第２当接面３８とを設けた構成としている。
【００４５】
左右対の棚板保持部３０，３０の各スライド板状部材３５，３５は、両側の縦枠部２４，２４に取り付けられた状態で、棚板４０の幅方向に沿う方向に見て互いに重なり合う構成とされている。
また、図例では、スライド板状部材３５のスライド方向先端側の前後の両角部を、面取り形状としている。これによれば、これら両角部の面取り部がスライド凹所４４へスライド板状部材３５を嵌め入れる際の誘いとして機能し、棚板保持部３０への棚板４０の取付性を向上させることができる。
また、図例では、スライド板状部材３５の下側端面を、上側端面と概ね同様、水平面とこれに対して傾斜する傾斜面とからなる構成としているが、全面に亘って同一平面状とされたものとしてもよい。
なお、棚板保持部３０は、合成樹脂系材料や金属系材料等から形成されたものとしてもよい。
【００４６】
各棚板４０は、互いに同様の構成とされており、概ね上下方向に沿う軸廻りに１８０°回転させて前後反転可能に、上記した各棚板保持部３０，３０対に取り付け可能とされている。
本実施形態では、各棚板４０を、図２、図３及び図５に示すように、棚板本体４１と、この棚板本体４１の幅方向両側端部のそれぞれに取り付けられる側端部材４２，４２と、を備えたものとしている。また、両側の側端部材４２，４２に、スライド片部３５，３５及びスライド凹所４４，４４のうちの他方としてのスライド凹所４４，４４をそれぞれ設けた構成としている。このような構成とすれば、棚板本体４１の幅寸法を変更することで、棚板４０の幅寸法を変更することができ、異なる幅寸法の棚板４０を効率的に製造することができる。また、例えば、異なる棚板傾斜角度で棚板４０を配置させるような場合にも、棚板本体４１を共通部品とし、両側の側端部材４２，４２を変形することで柔軟に対応することができる。この場合は、棚板保持部３０（スライド板状部材３５）も必要に応じて適宜、変形するようにしてもよい。
【００４７】
棚板本体４１は、図１及び図２に示すように、矩形平板状とされている。この棚板本体４１は、木質系材料や合成樹脂系材料、金属系材料等から形成されたものとしてもよい。また、図例では、この棚板本体４１を、中実状とした例を示しているが、中空状とされたものとしてもよい。例えば、棚板本体４１を、それぞれに棚板幅方向に延びる複数の縦リブを前後方向に間隔を空けて設けた中空構造とされたものとしてもよい。このような構成とすれば、棚板本体４１の軽量化を図りながらも棚板本体４１を補強することができる。
【００４８】
この棚板本体４１の幅方向一端側に取り付けられる一方の側端部材４２Ａは、図５（ａ）及び図６に示すように、棚板本体４１の左側端部に位置した状態で、そのスライド凹所４４の棚板取付時のスライド方向が棚板４０の上面直交方向に対して僅かに斜め後方向に向けて傾斜する構成とされている。また、棚板本体４１の幅方向他端側に取り付けられる他方の側端部材４２Ｂは、図５（ｂ）及び図６に示すように、棚板本体４１の右側端部に位置した状態で、そのスライド凹所４４の棚板取付時のスライド方向が棚板４０の上面直交方向に対して僅かに斜め後方向に向けて傾斜する構成とされている。これら両側の側端部材４２Ａ，４２Ｂを棚板本体４１に取り付け、上下方向（棚板厚さ方向）に沿う軸廻りに１８０°回転させ、上記とは逆に、一方の側端部材４２Ａを右側端部に位置させ、他方の側端部材４２Ｂを左側端部に位置させれば、上記とは逆にこれらのスライド凹所４４，４４の棚板取付時のスライド方向が棚板４０の上面直交方向に対して僅かに斜め前方向に向けて傾斜する構成とされている。
【００４９】
つまり、これら両側の側端部材４２Ａ，４２Ｂ（４２，４２）は、それぞれのスライド凹所４４，４４のスライド方向が互いに同方向（平行状）となる構成とされている。
また、これら両側の側端部材４２Ａ，４２Ｂ（４２，４２）は、棚板本体４１に取り付けられた状態で、互いのスライド凹所４４，４４が棚板幅方向に見て互いに重なり合う構成とされている。
また、これら両側の側端部材４２Ａ，４２Ｂ（４２，４２）は、それぞれのスライド凹所４４，４４が設けられた部位を除いて、互いに同様の構成とされている。
【００５０】
これら側端部材４２，４２には、互いに対向する方向に向けて開口し、棚板本体４１の幅方向の各端部が嵌め込まれる受入凹所４３，４３が設けられている。この受入凹所４３の上方側に向く内底面には、図５（ａ）に示すように、上方側に向けて突出し、棚板４０の幅方向に延びる複数のリブが設けられている。このようなリブを設けることで、各側端部材４２，４２の受入凹所４３，４３の下方側に向く内天面を、棚板本体４１の幅方向の各端部の上面に比較的に確実に当接させることができ、これらの間の隙間やがたつきの発生を抑制することができる。なお、これら側端部材４２，４２の棚板本体４１への取り付けは、これらの受入凹所４３，４３に棚板本体４１の幅方向の各端部を嵌め込むのみで取り付けるようにしてもよく、接着剤等を併用するようにしてもよい。
【００５１】
また、これら側端部材４２，４２には、図５及び図６に示すように、棚板本体４１に取り付けられた状態で、棚板本体４１の上面よりも上方に向けて立ち上がるように形成され、棚板４０の幅方向両側壁部を構成する立上壁部がそれぞれに設けられている。このような立上壁部を側端部材４２，４２に設けることで、棚板４０に載置された物品の幅方向外方側への落下等を抑制することができる。
【００５２】
また、これら側端部材４２，４２に設けられたスライド凹所４４，４４は、上記したスライド片部としてのスライド板状部材３５，３５を受入可能なように、棚板４０の幅方向外方側及び下方側に向けて開口するようにそれぞれに形成されている。これらスライド凹所４４，４４のスライド方向に沿う寸法（概ね上下方向に沿う寸法）は、スライド板状部材３５，３５のスライド方向に沿う寸法と概ね同寸法とされている。
また、これらスライド凹所４４，４４は、各側端部材４２，４２の前後方向（棚板４０の奥行方向）の略中央に設けられている。
これら側端部材４２，４２のスライド凹所４４，４４は、棚板４０の上面に対して平行状に形成された凹底面４５，４５、立上壁部の棚板幅方向外側面、前後両側の溝内側面４６，４６及び抜止片部４７，４７の内面によって区画されている。
【００５３】
前後両側の溝内側面４６，４６は、図６に示すように、概ね前後方向に対向状となるように、かつ互いに平行状に形成されている。
また、これら前後両側の溝内側面４６，４６は、棚板４０の上面直交方向に対して前後方向に上記所定の傾斜角度θ２で傾斜する傾斜面を構成し、スライド板状部材３５が嵌め入れられる際に互いのスライド方向を規制する規制面（案内面）となる。つまり、これら前後両側の溝内側面４６，４６がスライド板状部材３５の前後両端面３６，３６に案内、当接されながらスライド凹所４４にスライド板状部材３５が嵌め入れられる。
また、スライド凹所４４，４４の前後両側の溝内側面４６，４６の棚板幅方向外方側縁部には、互いに対向する方向に向けて突出する抜止片部４７，４７がスライド方向の全体に亘って設けられている。これら前後両側の抜止片部４７，４７は、これらの間に支持部材３１の受入が可能なように形成されている。
【００５４】
これら前後両側の抜止片部４７，４７、前後両側の溝内側面４６，４６及び立上壁部の棚板幅方向外側面の前後両端部によって互いに対向する方向に向けて開口し、スライド方向に向けて延びる前後両側のスライド溝が構成される。これら前後両側のスライド溝に、スライド板状部材３５の前後両側端部が嵌め入れられ、保持される。これにより、棚板保持部３０，３０対の各スライド板状部材３５，３５に対する両側の側端部材４２，４２（棚板４０）の前後方向及び棚板幅方向への移動が抑制される。また、上述のように、スライド凹所４４，４４の凹底面４５，４５に、各スライド板状部材３５，３５の第１当接面３７，３７または第２当接面３８，３８が当接する。これにより、棚板保持部３０，３０対の各スライド板状部材３５，３５に対する両側の側端部材４２，４２（棚板４０）の棚板取付時におけるスライド方向先側（つまりは、概ね下方側）への移動が抑制される。また、このように左右の棚板保持部３０，３０対に棚板４０が取り付けられ、保持された状態では、棚板取付時におけるスライド方向逆側（つまりは概ね上方側）への移動は、棚板４０の自重によって抑制される。
【００５５】
また、図例では、スライド凹所４４を区画する立上壁部の棚板幅方向外側面に、棚板幅方向外方側に向けて開口し、棚板厚さ方向に延びる凹部を設けた例を示している。この凹部は、棚板保持部３０の止具３９の頭部を受け入れる凹部として機能する。
また、本実施形態では、スライド凹所４４の凹底面４５を、棚板４０の上面に平行な面とした例を示しているが、この凹底面４５を、スライド方向に直交状とされた面としてもよい。この場合は、上記したスライド板状部材３５の一方の当接面３７を第２当接面として把握し、他方の当接面３８を第１当接面として把握するようにしてもよい。
また、棚板保持部３０及び側端部材４２（棚板４０の幅方向端部）の一方に係止爪を設け、この係止爪が係脱（引っ掛けとその解除）される係止凹部を他方に設け、これらを係止させることで、棚板取付時におけるスライド方向逆側への移動を抑制可能とした構成としてもよい。この場合、係止凹部に対する係止爪の係止を解除する押圧部等の操作部を備えた構成とし、該操作部の操作によって棚板４０を容易に取外可能とした構成としてもよい。
【００５６】
また、本実施形態では、棚板４０の幅方向両側端部４２，４２の前後両端部に、幅方向に架け渡されるように配設される落下防止バー４９の長手方向端部が嵌め込まれる受凹部４８，４８，４８，４８を設けている。このような構成とすれば、図２に示すように、棚板４０の奥行方向の両端側または一端側に、必要に応じて落下防止バー４９を取り付けることができる。本実施形態では、受凹部４８，４８を、両側の側端部材４２，４２の前後両端部に設けている。
これら幅方向両側の前後両端部に設けられた受凹部４８，４８，４８，４８は、幅方向一方側に設けられた受凹部４８，４８と幅方向他方側に設けられた受凹部４８，４８とが棚板幅方向に見て一致するように設けられている。
【００５７】
また、幅方向一方側に設けられた受凹部４８，４８と幅方向他方側に設けられた受凹部４８，４８とは、互いに対向する方向に向けて開口している。また、図例では、落下防止バー４９の端部を上方側から受入可能なように、上方側にも開口した受凹部４８，４８，４８，４８を例示している。これら受凹部４８，４８，４８，４８は、本実施形態のように、両側の側端部材４２，４２と棚板本体４１とが別体とされている場合には、これらを組み付けた状態で落下防止バー４９の着脱が可能な構成としてもよい。または、これら両側の側端部材４２，４２と棚板本体４１とが組み付けられた状態では取り外し不能なように、互いに対向する方向のみに開口した受凹部４８，４８，４８，４８としてもよい。
なお、両側の側端部材４２，４２及び落下防止バー４９は、合成樹脂系材料や金属系材料等から形成されたものとしてもよい。
【００５８】
上記構成とされた両側の側端部材４２Ａ，４２Ｂ（４２，４２）を棚板本体４１に取り付けて構成された棚板４０は、図１、図２及び図６に示すように、両側の縦枠部２４，２４間に架け渡すように取り付けるようにしてもよい。
図例では、上記のようにスライド片部３５，３５への棚板取付時のスライド方向が鉛直方向から僅かに斜め後方向に傾斜する構成とされた最下段の第１棚板保持部３０Ａ，３０Ａ対に、一方の側端部材４２Ａを左側端部に位置させ、他方の側端部材４２Ｂを右側端部に位置させ、これらのスライド凹所４４，４４の棚板取付時のスライド方向が棚板４０の上面直交方向に対して僅かに斜め後方向に傾斜する構成とされた最下段の棚板４０（水平棚板４０Ｃ）を、その上面が水平となるように水平状態で保持させた例を示している。つまり、互いの上下方向及び棚板上面直交方向に対する前後方向へのスライド方向の傾斜方向を同方向に沿わせることで、スライド片部３５の傾斜とスライド凹所４４の傾斜とが言わば相殺されるようにして棚板４０の上面が水平面となる構成とされている。
【００５９】
また、その上段側に同様に設けられた第１棚板保持部３０Ａ，３０Ａ対に、一方の側端部材４２Ａを右側端部に位置させ、他方の側端部材４２Ｂを左側端部に位置させ、これらのスライド凹所４４，４４の棚板取付時のスライド方向が棚板４０の上面直交方向に対して僅かに斜め前方向に傾斜する構成とされた棚板４０（前傾棚板４０Ａ）を、その上面が前方に向かうに従い下方側に傾斜する前傾（前下がり（後上がり））の傾斜状態で保持させた例を示している。つまり、上記とは逆に、互いの上下方向及び棚板上面直交方向に対する前後方向へのスライド方向の傾斜方向を逆方向に沿わせることで、スライド片部３５の傾斜とスライド凹所４４の傾斜とが言わば足し合わせられるようにして棚板４０の上面が傾斜面となる構成とされている。
【００６０】
また、更にこの上段側に設けられた、スライド片部３５，３５への棚板取付時のスライド方向が鉛直方向から僅かに斜め前方向に傾斜する構成とされた第２棚板保持部３０Ｂ，３０Ｂ対に、一方の側端部材４２Ａを左側端部に位置させ、他方の側端部材４２Ｂを右側端部に位置させ、これらのスライド凹所４４，４４の棚板取付時のスライド方向が棚板４０の上面直交方向に対して僅かに斜め後方向に傾斜する構成とされた棚板４０（後傾棚板４０Ｂ）を、その上面が後方に向かうに従い下方側に傾斜する後傾（前上がり（後下がり））の傾斜状態で保持させた例を示している。以降同様に、最上段に向けて、前傾棚板４０Ａと後傾棚板４０Ｂとを上下に交互に配置した例を示している。
【００６１】
このように、本実施形態によれば、棚板４０を、適宜、概ね上下方向に沿う軸廻りに１８０°回転させて前後を反転させて、棚板保持部３０，３０対に保持させることで、水平状態と傾斜状態とに選択的に取り付けることができる。また、棚板保持部３０，３０対を、左右逆側に取り付けることで、棚板４０を、前傾状態と後傾状態とに選択的に取り付けることも可能となる。
また、上記のように棚板４０を傾斜させることで、靴等の収納物を効率的に収納することができる。
なお、上記した各棚板４０の配置態様は、一例であり、例えば、全ての棚板４０を、前傾状態、後傾状態及び水平状態のうちのいずれかの状態で上下多段に配置した態様等としてもよい。
【００６２】
上記のように枠体２１に複数の棚板４０を取り付けた状態では、回転収納体２０は、下段側の棚板４０の上面とその上方に位置する上段側の棚板４０の下面との間がそれぞれ収納物を収納するための収納空間（収納部）となる。また、最上段の棚板４０と上枠部２２との間が収納物を収納するための収納空間（収納部）となる。
また、回転収納体２０は、前傾状態の棚板４０（前傾棚板４０Ａ）に対してその前方側から収納物の出し入れが容易に可能とされている。また、回転収納体２０は、上下に隣り合う後傾状態の棚板４０（後傾棚板４０Ｂ）の前端と前傾状態の棚板４０（前傾棚板４０Ａ）の前端とが比較的に近接し、後傾状態の棚板４０（後傾棚板４０Ｂ）に対してその前方側から収納物の出し入れが困難な構成とされている。
【００６３】
つまり、回転収納体２０は、後傾状態の棚板４０（後傾棚板４０Ｂ）からは、回転収納体２０を１８０°反転させて前傾状態に切り替えることで、その前方側から収納物の出し入れが容易に可能とされている。
このような構成とすれば、当該回転収納装置１（回転収納体２０）の収納空間を効率的に利用することができる。なお、このように棚板４０を傾斜させて配置する態様としない場合においても、例えば、収納空間（棚板４０）の前後寸法が比較的に大きいような場合には、回転させることで物品出し入れ性を向上させるようなこともできる。
【００６４】
次に、本実施形態に係る回転収納装置１に備えられる棚板及び棚板保持部の一変形例について、図７を参照して説明する。
なお、以下の各変形例では、上記した例との相違点について主に説明し、同様の構成については、同一符号を付し、その説明を省略または簡略に説明する。
【００６５】
図７（ａ）は、第１変形例に係る棚板４０Ｄを示している。この棚板４０Ｄは、その側端部材４２Ｃの構成が上記した例とは異なる。
本変形例では、側端部材４２Ｃの前後方向両端部のうちの一端部のみに受凹部４８を設けた構成としている。また、前後方向他端側部位の立上壁部を、前後方向他端側に向かうに従い下方側（棚板上面側）に向けて傾斜する形状としている。このような構成とすれば、上記した例と比べて、構造の簡略化が図れ、また、当該棚板４０Ｄを、受凹部４８が設けられた側が下方側となるように傾斜させて配置した際に、上段側の棚板４０により近接させるようなことも可能となる。
なお、幅方向他方側の側端部材の図示を省略しているが、上記同様、スライド凹所４４が設けられた部位を除いて、側端部材４２Ｃと概ね同様の構成とされている。
また、この棚板４０Ｄを、上記した棚板４０に代えて、回転収納装置１に設けた構成としてもよく、または、この棚板４０Ｄと上記した棚板４０とを組み合わせて回転収納装置１に設けた構成としてもよい。
【００６６】
図７（ｂ）は、第１変形例に係る棚板保持部３０Ｃを示している。この棚板保持部３０Ｃは、支持部材３１Ａの構成が上記した例とは異なる。
本変形例では、支持部材３１Ａのベース板状部３２Ａの裏面に、単一の引掛片部３４を設けた構成としている。このような構成とすれば、上記した例と比べて、構造の簡略化を図ることができる。
なお、この棚板保持部３０Ｃを、上記した棚板保持部３０に代えて、回転収納装置１に設けた構成としてもよく、または、この棚板保持部３０Ｃと上記した棚板保持部３０とを組み合わせて回転収納装置１に設けた構成としてもよい。
また、支持部材３１（３１Ａ）に、三つ以上の引掛片部３４を設けた構成としてもよい。
【００６７】
なお、本実施形態では、棚板４０（４０Ｄ）を、棚板本体４１と、その両側の側端部材４２，４２（４２Ｃ，４２Ｃ）と、からなる構成とした例を示しているが、これらを一体的に形成したものとしてもよい。この場合は、受凹部４８や落下防止バー４９を設けた態様に代えて、上方に突出する落下防止片を棚板の前後両端部または前後一方端部に一体的に設けるようにしてもよい。
また、箱体２は、少なくとも前方に開口したものであればよく、前後両側に開口したものでもよい。
また、回転収納装置１に収納される収納物としては、上記した靴等の履物に限られず、衣類や傘、帽子等でもよく、このような玄関土間等において収納されるものに限られず、その他、書籍や、装飾品、食器、調味料、各種ディスク等の記録媒体等でもよい。
【００６８】
また、箱体２に回転自在に設けた枠体２１（回転収納体２０）の両側の縦枠部２４，２４に、棚板保持部３０（３０Ｃ）を設けた回転収納装置１に限られない。例えば、箱体２の左右両側の内面を取付対象とし、これらに棚板保持部３０（３０Ｃ）を設けた収納装置１としてもよい。また、棚板４０（４０Ｄ）の幅方向両側または幅方向一方側の取付対象を、壁面等とした収納装置１としてもよい。
また、本実施形態では、棚板保持部３０（３０Ｃ）の取付対象２４に、棚板保持部３０（３０Ｃ）に設けられた引掛片部３４が差し込まれる差込穴２５を上下方向に沿って間隔を空けて複数箇所に設けた例を示しているが、このような態様に限られない。棚板保持部３０（３０Ｃ（または支持部材３１（３１Ａ）））を、取付対象２４に対して固定的または一体的に設けた態様としてもよい。
【００６９】
また、本実施形態では、棚板保持部３０（３０Ｃ）を、スライド板状部材３５と、支持部材３１（３１Ａ）と、を備えたものとした例を示しているが、これらが一体的に形成されたものとしてもよい。
また、本実施形態では、スライド片部３５を各棚板保持部３０（３０Ｃ）に設け、スライド凹所４４を各棚板４０（４０Ｄ）に設けた例を示しているが、これらを互いに逆側に設けるようにしてもよい。この場合は、各棚板保持部３０（３０Ｃ）及び各棚板４０（４０Ｄ）を、適宜、変形するようにすればよい。
【符号の説明】
【００７０】
１            回転収納装置（収納装置）
２            箱体
１３          回転軸（上下方向に沿う軸）
２１          枠体
２４          縦枠部（取付対象）
２５          差込穴
３０，３０Ｃ  棚板保持部
３１，３１Ａ  支持部材
３４          引掛片部
３５          スライド板状部材（スライド片部）
３７          第１当接面
３８          第２当接面
３９          止具
４０，４０Ｄ  棚板
４１          棚板本体
４２，４２Ｃ  側端部材（幅方向側端部）
４４          スライド凹所
４５          凹底面
４８          受凹部
４９          落下防止バー
θ１          スライド板状部材の傾斜角度
θ２          スライド凹所の傾斜角度
【図１】
2015004694.tif 000003
【図２】
2015004694.tif 000004
【図３】
2015004694.tif 000005
【図４】
2015004694.tif 000006
【図５】
2015004694.tif 000007
【図６】
2015004694.tif 000008
【図７】
2015004694.tif 000009
【国際調査報告】
2015004694.tif 000010
2015004694.tif 000011
2015004694.tif 000012
2015004694.tif 000013